【手続補正書】
【提出日】平成23年2月25日(2011.2.25)
【手続補正１】
【補正対象書類名】特許請求の範囲
【補正対象項目名】全文
【補正方法】変更
【補正の内容】
【特許請求の範囲】
【請求項１】
記録媒体に記録されている記録情報により特定される有価価値を使用して遊技用価値を遊技者に貸与するための制御を行なうことが可能な複数の遊技用装置と、該複数の遊技用装置と接続される管理装置とを備える遊技システムであって、
前記管理装置は、
人為的な操作に基づいて、所定の単位有価価値あたりの貸与すべき遊技用価値の数量である単位貸与数量を設定する設定手段と、
該設定手段により設定された単位貸与数量を前記遊技用装置へ送信する送信手段とを含み、
前記遊技用装置は、
前記遊技用価値を用いて遊技を行なうことが可能な遊技機と通信可能な通信手段と、
前記記録情報を読取り可能な情報読取手段と、
該情報読取手段により読取られた前記記録情報により特定される前記有価価値を使用して遊技者に貸与する遊技用価値の数量を示す遊技用価値数量信号を作成する制御手段とを含み、
前記制御手段は、前記送信手段により送信されてきた単位貸与数量に基づいて前記遊技用価値数量信号を作成し、
前記通信手段は、前記制御手段により作成された前記遊技用価値数量信号を前記遊技機へ送信することを特徴とする、遊技システム。
【手続補正２】
【補正対象書類名】明細書
【補正対象項目名】発明の名称
【補正方法】変更
【補正の内容】
【発明の名称】遊技システム
【手続補正３】
【補正対象書類名】明細書
【補正対象項目名】０００１
【補正方法】変更
【補正の内容】
【０００１】
本発明は、記録媒体に記録されている記録情報により特定される有価価値を使用して遊技用価値を遊技者に貸与するための制御を行なうことが可能な複数の遊技用装置と、該複数の遊技用装置と接続される管理装置とを備える遊技システムに関するものである。
【手続補正４】
【補正対象書類名】明細書
【補正対象項目名】０００２
【補正方法】変更
【補正の内容】
【０００２】
この種の遊技システムとして従来から一般的に知られているものに、たとえば、遊技用価値の一例としての遊技球を用いて遊技を行なうことが可能なパチンコ遊技機とパチンコ遊技機と通信可能に接続されたカードユニットとがある。そして、この場合、遊技機（パチンコ遊技機）は、所定額（たとえば、１００円）の貸出要求を１単位として、遊技用装置の一例としてのカードユニットから貸出要求１単位に対応する信号が送信されるごとに、所定数（たとえば、２５個）の遊技用価値（遊技球）を遊技者に貸与（貸出）している。
【手続補正５】
【補正対象書類名】明細書
【補正対象項目名】０００５
【補正方法】変更
【補正の内容】
【０００５】
この発明は上述の問題に鑑みてなされたものであって、その目的は、貸出要求に対応して貸与される遊技用価値の数量が変更される場合にも容易に対応できる遊技システムを提供することである。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】変更
【補正の内容】
【００２３】
（１）  記録媒体（磁気カード、光カード、ＩＣカード等）に記録されている記録情報（度数データ、金額データ、遊技用価値数データ、ＩＤ番号等）により特定される有価価値を使用して遊技用価値（遊技球）を遊技者に貸与するための制御を行なうことが可能な複数の遊技用装置（カードユニット５０）と、該複数の遊技用装置と接続される管理装置とを備える遊技システムであって、
前記管理装置は、
人為的な操作に基づいて、所定の単位有価価値あたりの貸与すべき遊技用価値の数量である単位貸与数量を設定する設定手段と、
該設定手段により設定された単位貸与数量を前記遊技用装置へ送信する送信手段とを含み、
前記遊技用装置は、
前記遊技用価値を用いて遊技を行なうことが可能な遊技機（パチンコ遊技機１）と通信可能な通信手段（通信部３６０）と、
前記記録情報を読取り可能な情報読取手段（カードリーダライタ３３０）と、
該情報読取手段により読取られた前記記録情報により特定される前記有価価値を使用して遊技者に貸与（貸出）する遊技用価値の数量を示す遊技用価値数量信号（貸出個数信号）を作成する制御手段（制御部３４０）とを含み、
前記制御手段は、前記送信手段により送信されてきた単位貸与数量に基づいて前記遊技用価値数量信号を作成し、
前記通信手段は、前記制御手段により作成された前記遊技用数量信号を前記遊技機へ送信する（図８の（ｃ）、図１０の（ｄ）、図１１の（ｄ）および図１３の（ｄ）参照）。
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】削除
【補正の内容】
【手続補正２９】
【補正対象書類名】明細書
【補正対象項目名】００３０
【補正方法】削除
【補正の内容】
【手続補正３０】
【補正対象書類名】明細書
【補正対象項目名】００３１
【補正方法】削除
【補正の内容】
【手続補正３１】
【補正対象書類名】明細書
【補正対象項目名】００３２
【補正方法】削除
【補正の内容】
【手続補正３２】
【補正対象書類名】明細書
【補正対象項目名】００３３
【補正方法】削除
【補正の内容】
【手続補正３３】
【補正対象書類名】明細書
【補正対象項目名】００３４
【補正方法】削除
【補正の内容】
【手続補正３４】
【補正対象書類名】明細書
【補正対象項目名】００３５
【補正方法】削除
【補正の内容】
【手続補正３５】
【補正対象書類名】明細書
【補正対象項目名】００３６
【補正方法】削除
【補正の内容】
【手続補正３６】
【補正対象書類名】明細書
【補正対象項目名】００３７
【補正方法】削除
【補正の内容】
【手続補正３７】
【補正対象書類名】明細書
【補正対象項目名】００３８
【補正方法】削除
【補正の内容】
【手続補正３８】
【補正対象書類名】明細書
【補正対象項目名】００３９
【補正方法】削除
【補正の内容】
【手続補正３９】
【補正対象書類名】明細書
【補正対象項目名】００４０
【補正方法】削除
【補正の内容】
【手続補正４０】
【補正対象書類名】明細書
【補正対象項目名】００４１
【補正方法】削除
【補正の内容】
【手続補正４１】
【補正対象書類名】明細書
【補正対象項目名】００４２
【補正方法】削除
【補正の内容】
【手続補正４２】
【補正対象書類名】明細書
【補正対象項目名】００４３
【補正方法】削除
【補正の内容】
【手続補正４３】
【補正対象書類名】明細書
【補正対象項目名】００４４
【補正方法】削除
【補正の内容】
【手続補正４４】
【補正対象書類名】明細書
【補正対象項目名】００４５
【補正方法】削除
【補正の内容】
【手続補正４５】
【補正対象書類名】明細書
【補正対象項目名】００４６
【補正方法】削除
【補正の内容】
【手続補正４６】
【補正対象書類名】明細書
【補正対象項目名】００４７
【補正方法】削除
【補正の内容】
【手続補正４７】
【補正対象書類名】明細書
【補正対象項目名】００４８
【補正方法】削除
【補正の内容】
【手続補正４８】
【補正対象書類名】明細書
【補正対象項目名】００４９
【補正方法】削除
【補正の内容】
【手続補正４９】
【補正対象書類名】明細書
【補正対象項目名】００５０
【補正方法】削除
【補正の内容】
【手続補正５０】
【補正対象書類名】明細書
【補正対象項目名】００５１
【補正方法】削除
【補正の内容】
【手続補正５１】
【補正対象書類名】明細書
【補正対象項目名】００５２
【補正方法】削除
【補正の内容】